(57)【特許請求の範囲】
【請求項１】
頂部において開口する口部を有し、その内側に内容物の充填空間を形成する容器本体と、該口部を密閉する閉鎖壁を有し、該閉鎖壁を引きちぎることによって該充填空間につながる排出口を形成する注出栓と、該注出栓を覆い隠すとともに該容器本体とねじ部を介して着脱可能に保持されるオーバーキャップとを備える注出栓付き容器であって、
前記注出栓は、前記閉鎖壁の縁部に形成した周溝を介して該閉鎖壁と一体連結する注出筒と、該注出筒を前記容器本体に固定保持するベースとからなり、
前記閉鎖壁に、前記オーバーキャップと係合し該オーバーキャップの取り外しに伴って連れ回る連係部と、該連係部の根元から該周溝に向けて放射状に延びる複数の傾斜溝とを設けたことを特徴とする注出栓付き容器。
【請求項２】
頂部において開口する口部を有し、その内側に内容物の充填空間を形成する容器本体と、該口部を密閉する閉鎖壁を有し、該閉鎖壁を引きちぎることによって該充填空間につながる排出口を形成する注出栓と、該注出栓を覆い隠すとともに該容器本体とねじ部を介して着脱可能に保持されるオーバーキャップとを備える注出栓付き容器であって、
前記注出栓は、前記閉鎖壁の縁部に形成した周溝を介して該閉鎖壁と一体連結する注出筒と、該注出筒を前記容器本体に固定保持するベースとからなり、
前記閉鎖壁に、前記オーバーキャップと係合し該オーバーキャップの取り外しに伴って連れ回る連係部と、該連係部の根元から該周溝に向けてつる巻状に延びる少なくとも１本の螺旋溝とを設けたことを特徴とする注出栓付き容器。
【請求項３】
前記閉鎖壁の連係部は、該閉鎖壁から立ち上がる筒体と、該筒体の内壁及び外壁の少なくとも一方に設けた凸部又は凹部とからなり、前記オーバーキャップに、該閉鎖壁の凸部に対応する凹部又は該閉鎖壁の凹部に対応する凸部を設けた請求項１又は２記載の注出栓付き容器。
【発明の詳細な説明】
【技術分野】
【０００１】
本発明は、注出栓の閉鎖壁を引きちぎることによって容器の開封を可能とする注出栓付き容器に関し、容器の開封作業を、より簡単に行おうとするものである。
【背景技術】
【０００２】
例えば化粧品や育毛剤、整髪料、医薬品等の内容物を収容する容器としては、使用前には容器の充填空間を密閉し、使用する直前に閉鎖壁部の引きちぎりによって開封する、バージンタイプの注出栓を装着したものが上市されている。このような容器としては、例えば閉鎖壁部と一体連結するプルリングを引き起こし、そのまま引き上げることで閉鎖壁部の引きちぎりを行う、プルリングタイプのものが知られている（例えば特許文献１参照）。
【先行技術文献】
【特許文献】
【０００３】
【特許文献１】特開２００５−１６２３１４号公報
【発明の概要】
【発明が解決しようとする課題】
【０００４】
ところで、プルリングタイプの注出栓は、指をプルリングに差し入れた後、そこから更に指を引き上げる面倒な作業が必要であり、また一般に、容器の大型化につながることからプルリングを必要以上に大きくすることができず、それ故、プルリングに指を挿入しづらい場合もあって、容器の開封をより簡単に行える注出栓の開発が望まれていた。
【０００５】
本発明の課題は、注出栓の閉鎖壁を引きちぎることによって容器の開封を可能とする注出栓付き容器に関し、容器の開封時における注出栓の引きちぎりを、構造の複雑化を伴うことなしに比較的簡便に行うことを可能とする注出栓付き容器を提案するところにある。
【課題を解決するための手段】
【０００６】
本発明は、頂部において開口する口部を有し、その内側に内容物の充填空間を形成する容器本体と、該口部を密閉する閉鎖壁を有し、該閉鎖壁を引きちぎることによって該充填空間につながる排出口を形成する注出栓と、該注出栓を覆い隠すとともに該容器本体とねじ部を介して着脱可能に保持されるオーバーキャップとを備える注出栓付き容器であって、
前記注出栓は、前記閉鎖壁の縁部に形成した周溝を介して該閉鎖壁と一体連結する注出筒と、該注出筒を前記容器本体に固定保持するベースとからなり、
前記閉鎖壁に、前記オーバーキャップと係合し該オーバーキャップの取り外しに伴って連れ回る連係部と、該連係部の根元から該周溝に向けて放射状に延びる複数の傾斜溝とを設けたことを特徴とする注出栓付き容器である。
【０００７】
また本発明は、頂部において開口する口部を有し、その内側に内容物の充填空間を形成する容器本体と、該口部を密閉する閉鎖壁を有し、該閉鎖壁を引きちぎることによって該充填空間につながる排出口を形成する注出栓と、該注出栓を覆い隠すとともに該容器本体とねじ部を介して着脱可能に保持されるオーバーキャップとを備える注出栓付き容器であって、
前記注出栓は、前記閉鎖壁の縁部に形成した周溝を介して該閉鎖壁と一体連結する注出筒と、該注出筒を前記容器本体に固定保持するベースとからなり、
前記閉鎖壁に、前記オーバーキャップと係合し該オーバーキャップの取り外しに伴って連れ回る連係部と、該連係部の根元から該周溝に向けてつる巻状に延びる少なくとも１本の螺旋溝とを設けたことを特徴とする注出栓付き容器である。
【０００８】
前記閉鎖壁の連係部は、該閉鎖壁から立ち上がる筒体と、該筒体の内壁及び外壁の少なくとも一方に設けた凸部又は凹部とからなり、前記オーバーキャップに、該閉鎖壁の凸部に対応する凹部又は該閉鎖壁の凹部に対応する凸部を設けることが望ましい。
【発明の効果】
【０００９】
容器を密閉する注出栓の閉鎖壁に、オーバーキャップの取り外しに伴って連れ回る連係部と、この連係部の根元から放射状に延びる複数の傾斜溝と、この傾斜溝と連結してこの閉鎖壁の縁部を取り囲む周溝とを設けたので、容器本体に対しオーバーキャップを回転させるだけで閉鎖壁を引きちぎることが可能となり、容器を簡単に開封することができる。また、手全体でオーバーキャップを掴んで回転させることができるので、狭い場所に指を差し入れることがなくなり、また力も加え易くなるので使い勝手が良くなる。
【００１０】
容器を密閉する注出栓の閉鎖壁に、オーバーキャップの取り外しに伴って連れ回る連係部と、この連係部の根元からつる巻状に延びる少なくとも１本の螺旋溝と、この螺旋溝と連結してこの閉鎖壁の縁部を取り囲む周溝とを設けたので、各溝に加わる力をより集中させることが可能となり、より小さい力で引きちぎることができる。
【００１１】
閉鎖壁から立ち上がる筒体の内壁及び外壁の少なくとも一方に凸部又は凹部を設け、オーバーキャップに、これに対応する凹部又は凸部をと設けたので、簡単な構造で双方を確実に連係させることが可能となり、閉鎖壁が引きちぎられている最中でも連係が外れることがない。
【図面の簡単な説明】
【００１２】
【図１】本発明に従う注出栓付き容器の実施の形態につき、右側半分を断面で示した、容器上部の側面図である。
【図２】本発明に従う注出栓付き容器の実施の形態につき、注出栓の閉鎖壁と、これに対応するオーバーキャップ（一部を破断させて内側を示している）の要部を示す斜視図である。
【図３】図２に示した注出栓の閉鎖壁が、オーバーキャップの回転により引きちぎられた後の状態を示す斜視図である。
【図４】本発明に従う他の注出栓付き容器の実施の形態につき、注出栓の閉鎖壁の要部を示す斜視図である。
【発明を実施するための形態】
【００１３】
以下、図面を参照して、本発明をより具体的に説明する。
図１は、本発明に従う注出栓付き容器の実施の形態につき、右側半分を断面で示した、容器上部の側面図であり、図２は、注出栓の閉鎖壁と、これに対応するオーバーキャップの要部を示す斜視図であり、図３は、図２に示した注出栓が、オーバーキャップの回転により引きちぎられた後の状態を示す斜視図である。なお図１に示す、容器本体の軸線Ｍに沿う向きが上下方向であり、軸線Ｍに直交する方向（図１において軸線Ｍから左又は右に向かう方向）が径方向である。
【００１４】
図１において、１は容器本体である。容器本体１は、頂部において開口する口部１ａを有し、その口部１ａから下方に向けて連続してつながる図示しない側壁及び底壁によって、内容物を収納する充填空間を区画形成している。
【００１５】
２は、容器本体１の口部１ａを密閉するとともに、この口部１ａにおいて固定保持される注出栓である。図示の例で注出栓２は、口部１ａの径方向内側に配置されるドーム状の閉鎖壁２ａと、この閉鎖壁２ａの縁部を取り囲む筒状体を、その中間部において閉鎖壁２ａと一体連結させた注出筒２ｂと、注出筒２ｂを取り囲んで一体連結し、下向き開放の環状凹部を形成するとともに、この環状凹部に口部１ａを挿入させて注出栓２を固定保持するベース２ｃ（図示の例では、アンダーカットにより保持しているが、ねじによる保持でもよい）とを備えている。閉鎖壁２ａは、注出筒２ｂと結合する縁部に、弱化部となる周溝２ｄを備えており、この周溝２ｄに沿って引きちぎられることで、容器本体１内の内容物を排出する排出口を形成することができる。注出筒２ｂは、その内側を内容物の排出通路とするとともに、その上部先端を径方向外側に湾曲させてリップを形成しており、これにより内容物が注ぎ易くなり、また液ダレがおきにくくなっている。
【００１６】
３は、注出栓２を覆い隠すとともに、容器本体１に着脱可能に保持されるオーバーキャップである。オーバーキャップ３は、天面壁と、この天面壁の縁部を取り囲んで垂下される側壁とからなり、側壁の内側には、口部１ａの外壁に設けたねじ部ｎ１に係合するねじ部ｎ２が設けられている。また天面壁には、この天面壁の下面から垂下され注出筒２ｂの内側壁面と当接する筒体３ａが設けられており、これによりオーバーキャップ３を容器本体１に取り付けることで、充填空間を閉鎖することができる。
【００１７】
ここで注出栓２の閉鎖壁２ａは、この閉鎖壁２ａの中央部において、オーバーキャップ３と係合する連係部２ｅを備えている。連係部２ｅは、軸線Ｍを中心として立ち上がる筒体２ｆと、この筒体２ｆの内壁及び外壁の少なくとも一方に設けた、凸部又は凹部２ｇとからなる。図１、図２に示す例では、筒体２ｆの内壁に、この内壁に沿って間隔をあけて配置される凸部２ｇ１を設け、筒体２ｆの外壁に、この外壁に沿って間隔をあけて配置される凸部２ｇ２を設けた場合を示している。一方、オーバーキャップ３は、閉鎖壁２ａの凸部又は凹部２ｇに対応する凹部又は凸部を備えている。図示の例でオーバーキャップ３は、天面壁より筒体２ｆの径方向内側に垂下される内側筒体３ｂと、筒体２ｆの径方向外側に垂下される外側筒体３ｃとを備えており、内側筒体３ｂの径方向外側には、凸部２ｇ１に対応する凹部３ｂ１が形成され、外側筒体３ｃには凸部２ｇ２に対応する凹部となる孔３ｃ１が形成されている。
【００１８】
また閉鎖壁２ａは、図２に示すように連係部２ｅの根元、すなわち筒体２ｆの根元から周溝２ｄに向けて放射状に延びるとともに、この周溝２ｄと一体連結する複数の傾斜溝２ｈを備えている。
【００１９】
上記のような構成となる注出栓付き容器において、注出栓２の閉鎖壁２ａを引きちぎるには、オーバーキャップ３を回転させて容器本体１から取り外せばよい。すなわち、オーバーキャップ３と閉鎖壁２ａは、上記のように凸部と凹部とが係合しているので、オーバーキャップ３を容器本体１に対して回転（図示の例では矢印の向き、すなわち上方から下方に向かって見る場合に反時計回り）させると、筒体２ｆもずれることなく連れ回ることとなる。この時閉鎖壁２ａは、軸線Ｍを中心に反時計回りに捩じられ、閉鎖壁２ａの弱化部である傾斜溝２ｈに亀裂が生じる。さらに回転させると、亀裂は周溝２ｄに進んでいき、図３に示すように閉鎖壁２ａを引きちぎることができる。傾斜溝２ｈの数を増やしていくと、より少ない回転量で引きちぎることができる。オーバーキャップ３を容器本体１から取り外すと、引きちぎられた閉鎖壁２ａは、オーバーキャップ３の軸方向に沿って引っ張ることで簡単に除去することが可能であるが、オーバーキャップ３に係合したままであっても、容器本体１に取り付けることができるので、使用に際して手間がかかることがない。
【００２０】
ここで傾斜溝２ｈは、筒体２ｆの根元から周溝２ｄに向けて直線状に延びていてもよいが、図２、図３に示すように、オーバーキャップ３を取り外す回転方向とは逆方向（図示の場合は、上方から下方に向かって見る場合に時計回り）に向かって延びることが好ましい。これにより、オーバーキャップ３の回転により捩じりを受ける方向に、傾斜溝２ｈが延びることとなり、亀裂が入り易くなる。また図示のように、傾斜溝２ｈを径方向外側に向けて凸となる向きに湾曲させる場合には、傾斜溝２ｈと周溝２ｄとのなす傾斜角αが小さくなり（鋭角）、回転方向に沿う向きに近づくので、より小さい力で開栓することが可能となる。
【００２１】
閉鎖壁２ａに設ける傾斜溝２ｈに代えて、図４に示すように、連係部２ｅの根元、すなわち筒体２ｆの根元から周溝２ｄに向けてつる巻状に延びる少なくとも１本の螺旋溝２ｉを設けてもよい。これにより、螺旋溝２ｉと周溝２ｄとのなす傾斜角βを、傾斜角αよりも小さくすることが可能となるので、更に小さい力で開栓することが可能となる。この場合、螺旋溝２ｉが延びる方向も、上記傾斜溝２ｈと同様にオーバーキャップ３を取り外す回転方向とは逆方向であることが好ましい。
【００２２】
なお充填空間を密閉するにあたり、注出栓２とオーバーキャップ３を最初に容器本体１に取り付ける場合には、あらかじめ注出栓２を取り付けた容器本体１にオーバーキャップ３をねじ込んでいき、ねじ込み完了時に、閉鎖壁２ａの凸部又は凹部とオーバーキャップ３の凹部又は凸部が係合するようにしてもよいし、あらかじめ注出栓２をオーバーキャップ３に押し込んで相互に連結させておき、これらを容器本体１に押し込んで取り付けてもよい。あらかじめ注出栓２とオーバーキャップ３を連結させておく場合には、図１に示すように、注出栓２を容器本体１の口部１ａにアンダーカット係合するようにしておき、オーバーキャップ３のねじ部ｎ２の下面を、径方向外側に向かって下向きに傾斜させておけば、容器本体１に対しより小さい力で押し込めるようになる。この場合、更に外側筒体３ｃの内側壁部に段差部を形成し、この段差部の下面及び凸部２ｇ２の上面を、径方向外側に向かって下向きに傾斜させることが好ましい。
【産業上の利用可能性】
【００２３】
本発明によれば、注出栓の閉鎖壁を引きちぎることによって容器の開封を可能とする注出栓付き容器に関し、容器の開封時における注出栓の引きちぎりを、構造の複雑化を伴うことなしに比較的簡便に行うことを可能とする注出栓付き容器を提供できる。
【符号の説明】
【００２４】
１    容器本体
１ａ  口部
２    注出栓
２ａ  閉鎖壁
２ｂ  注出筒
２ｃ  ベース
２ｄ  周溝
２ｅ  連係部
２ｆ  筒体
２ｇ  凸部又は凹部
２ｈ  傾斜溝
２ｉ  螺旋溝
３    オーバーキャップ
３ａ  筒体
３ｂ  内側筒体
３ｃ  外側筒体
ｎ１  ねじ部
ｎ２  ねじ部
Ｍ    軸線
【図１】
0005582911.tif 000002
【図２】
0005582911.tif 000003
【図３】
0005582911.tif 000004
【図４】
0005582911.tif 000005